(57)【要約】      （修正有）【課題】Ｘ線管装置の温度が上昇した場合にも、透視を継続したまま透視可能時間を延長することが可能なＸ線画像診断装置を提供する。【解決手段】Ｘ線画像診断装置のＸ線管装置１０３に温度検出器１０３ａ、管球移動機構１０３ｂ、位置検出器１０３ｃを設ける。制御部２０１は、温度検出器１０３ａにより検出したＸ線管装置１０３の管球部の温度を取得し、取得した温度に応じて管球部を管球移動機構１０３ｂにより移動して管球部とＸ線検出器との間の距離（ＳＩＤ）を調整する。また、この移動の前後で受像面における線量が一定となるようにＸ線条件を調整する。そのため、より小さなＸ線条件（管電流、管電圧）で透視を行うことが可能となり、温度上昇を抑制して透視時間を延長できる。【選択図】図４
2016129593.tif 000002
【特許請求の範囲】
【請求項１】
被検体にＸ線を照射するＸ線管装置と、
前記Ｘ線管装置に対向配置されＸ線を検出するＸ線検出器と、
前記Ｘ線管装置の管球部を移動させて管球部と前記Ｘ線検出器との間の距離を調整する管球移動機構と、
前記管球部の温度を検出する温度検出器と、
前記温度検出器により検出した温度を取得し、取得した温度に応じて前記管球部を移動して前記管球部と前記Ｘ線検出器との間の距離を調整するとともに、前記管球部の移動の前後で前記Ｘ線検出器に入射する線量が一定となるようにＸ線条件を調整する調整部と、
を備えることを特徴とするＸ線画像診断装置。
【請求項２】
前記管球部と前記Ｘ線検出器との間の距離、前記温度、及びＸ線条件を取得し、調整後の前記管球部と前記Ｘ線検出器との間の距離の複数の候補についてそれぞれ透視延長時間を算出する算出部と、
前記複数の候補の透視延長時間を選択可能に表示する表示制御部と、
を更に備えることを特徴とする請求項１に記載のＸ線画像診断装置。
【請求項３】
前記算出部は、前記複数の候補についてそれぞれ撮影範囲を算出し、
前記表示制御部は、前記複数の候補の前記撮影範囲を更に表示することを特徴とする請求項２に記載のＸ線画像診断装置。
【請求項４】
前記調整部による調整回数に応じた閾値を用いて、前記管球部の温度が前記閾値より大きいか否かを判定する判定部を備え、
前記調整部は、前記判定部により前記管球部の温度が前記閾値より大きいと判定した場合に管球の位置及びＸ線条件の調整を行うことを特徴とする請求項１に記載のＸ線画像診断装置。
【請求項５】
前記Ｘ線管装置はＸ線の照射範囲を調整するＸ線絞りを有し、
前記管球部の移動の前後で撮影範囲が一定を保つように前記Ｘ線絞りを調整するＸ線絞り調整部を更に備えることを特徴とする請求項１に記載のＸ線画像診断装置。
【請求項６】
前記Ｘ線管装置と被検体または寝台との距離を計測する距離計測器を設け、
前記表示制御部は、計測された距離に基づいて前記複数の候補から調整可能な候補を絞り込み、表示することを特徴とする請求項２に記載のＸ線画像診断装置。
【発明の詳細な説明】
【技術分野】
【０００１】
本発明はＸ線画像診断装置に係り、特にＸ線管装置の温度監視及び制御に関する。
【背景技術】
【０００２】
Ｘ線透視撮影装置等のＸ線画像診断装置は、Ｘ線管装置とＸ線検出器（Ｘ線受像装置）とを対向配置させ、Ｘ線管装置から照射され被検体を透過したＸ線をＸ線検出器にて検出し、画像化する。このＸ線画像診断装置で透視像の取得や撮影を長時間にわたって行うと、Ｘ線管の発熱によりＸ線管球がオーバーヒートすることがある。Ｘ線画像診断装置は手術中にも使用されることがあるが、上述のオーバーヒートが発生すると、温度が下がるまで使用を再開できなくなるため大変不都合である。
【０００３】
Ｘ線管装置の温度管理に関しては、例えば特許文献１等の技術が提案されている。特許文献１には、透視画像取得中及び撮影画像取得直後にＸ線条件から温度情報を算出し、算出した温度情報に基づいて透視画像の透視可能時間及び静止画像の撮影可能枚数を算出し、常に最新の処理可能量をユーザに提示するＸ線透視撮影装置について記載されている。また、Ｘ線管装置の冷却条件を変更することで処理可能時間を延長することについて記載されている。
【先行技術文献】
【特許文献】
【０００４】
【特許文献１】特開２０１１−１０４２００号公報
【発明の概要】
【発明が解決しようとする課題】
【０００５】
しかしながら、Ｘ線管装置の冷却には時間を要するため、即時に使用を再開できず手術中において使用する場合には不都合が生じることがある。
【０００６】
本発明は、前述した問題点に鑑みてなされたものであり、その目的とすることは、Ｘ線管装置の温度が上昇した場合にも、透視を継続したまま透視可能時間を延長することが可能なＸ線画像診断装置を提供することである。
【課題を解決するための手段】
【０００７】
前述した目的を達成するために本発明は、被検体にＸ線を照射するＸ線管装置と、前記Ｘ線管装置に対向配置されＸ線を検出するＸ線検出器と、前記Ｘ線管装置の管球部を移動させて管球部と前記Ｘ線検出器との間の距離を調整する管球移動機構と、前記管球部の温度を検出する温度検出器と、前記温度検出器により検出した温度を取得し、取得した温度に応じて前記管球部を移動して前記管球部と前記Ｘ線検出器との間の距離を調整するとともに、前記管球部の移動の前後で前記Ｘ線検出器に入射する線量が一定となるようにＸ線条件を調整する調整部と、を備えることを特徴とするＸ線画像診断装置である。
【発明の効果】
【０００８】
本発明により、Ｘ線管装置の温度が上昇した場合にも、透視を継続したまま透視可能時間を延長することが可能なＸ線画像診断装置を提供できる。
【図面の簡単な説明】
【０００９】
【図１】本発明に係るＸ線画像診断装置（Ｘ線透視撮影装置）１の外観構成図
【図２】Ｘ線管装置１０３の温度検出器１０３ａ、管球移動機構１０３ｂ、位置検出器１０３ｃについて説明する図
【図３】Ｘ線検出器１０５及びＸ線管装置１０３の配置及び管球部の移動を説明する図（アンダーチューブの場合）
【図４】ＳＩＤ調整機能に係るブロック図
【図５】制御部２０１が実行するＳＩＤ調整処理の流れを示すフローチャート（第１の実施の形態）
【図６】操作画面４の一例
【図７】制御部２０１が実行するＳＩＤ調整処理の流れを示すフローチャート（第２の実施の形態）
【図８】操作画面４Ａの一例（第２の実施の形態）
【発明を実施するための形態】
【００１０】
以下、添付図面を参照しながら、本発明の好適な実施形態について詳細に説明する。
【００１１】
［第１の実施の形態］
まず、図１〜図２を参照しながら、本発明に係るＸ線画像診断装置１の構成について説明する。なお、以下の実施の形態では、Ｘ線画像診断装置１の一例としてＣアーム型のＸ線透視撮影装置について説明するが、本発明はこれに限定されない。本発明は、Ｘ線管装置１０３とＸ線検出器１０５とが対向配置され、透視撮影または一般撮影を行うことが可能な全てのＸ線画像診断装置に適用できる。
【００１２】
Ｘ線画像診断装置１（Ｘ線透視撮影装置）は、被検体１０１にＸ線を連続的に照射して動画像からなるＸ線画像（透視像）を生成する透視像取得機能と、被検体１０１に一瞬だけＸ線を照射して静止画像からなるＸ線画像を生成する撮影像取得機能とを有する。
【００１３】
図１に示すようにＸ線画像診断装置１は、撮影装置１００と制御装置２００とを備える。撮影装置１００は、Ｘ線管装置１０３、Ｘ線検出器１０５、被検体１０１を寝載する天板１０２、天板１０２を片持ち支持し床面に対し水平方向（図中Ｙ方向）及び鉛直方向（上下方向）に移動動作する天板移動機構１１０、Ｘ線管装置１０３及びＸ線検出器１０５を両端部において互いに対向する状態で連結して支持するアーム１０６、アーム１０６を回転及び移動可能に支持するアーム移動機構１２０、天板１０２を床面に対し直立させる天板起倒機構１１１、床面に起立し、天板起倒機構１１１、アーム移動機構１２０及び天板移動機構１１０を支持する支柱１１２を備える。
制御装置２００は、制御部２０１、高電圧発生器２０２、画像処理部２０３、記憶部２０４、表示部２０５、及び操作部２０６等を備える。
【００１４】
図１のＸ方向は床面（天板面）に対し水平かつ天板１０２の長手方向であり、Ｙ方向は床面（天板面）に対し水平かつ天板１０２の長手方向に直交する方向であり、Ｚ方向は床面（天板面）に対し鉛直な方向である。Ｘ、Ｙ、Ｚ方向は互いに直交する。
【００１５】
アーム移動機構１２０は、第１方向回転機構１０７、第２方向回転機構１０８、及びアームスライド機構１０９を備える。第１方向回転機構１０７はアーム１０６を支持するとともにアーム１０６に設けられたＸ線検出器１０５及びＸ線管装置１０３を天板１０２の長手方向（図中Ｘ方向）を軸心に回転動作させる。第２方向回転機構１０８は第１方向移動機構１０７を支持するとともにアーム１０６に設けられたＸ線検出器１０５及びＸ線管装置１０３を天板１０２の長手方向と垂直な方向（図中Ｙ方向）を軸心に回転移動させる。アームスライド機構１０９は、天板１０２の長手方向に対し平行（図中Ｘ方向）に配設されたスライドレール１０９ｂとスライドレール１０９ｂ上を走行し第２方向回転機構１０８を支持するスライド機構１０９ａとを備え、アーム１０６を天板１０２の長手方向（図中Ｘ方向）にスライド移動させる。つまり、アームスライド機構１０９はアーム１０６に設けられたＸ線検出器１０５及びＸ線管装置１０３（映像系）を天板１０２に寝載される被検体１０１の体軸方向に水平移動させる。
【００１６】
天板移動機構１１０は、天板垂直移動機構１１０ａと天板水平移動機構１１０ｂとを備え、天板１０２を上下方向（図中Ｚ方向）、及び長手方向と垂直な方向（図中Ｙ方向）に移動させる。
【００１７】
天板起倒機構１１１は、天板１０２を図中Ｙ方向を軸心とする回転方向に傾けることで床面に対し起倒させる。
【００１８】
天板１０２の位置や傾き角度、及びアーム移動機構１２０により移動されたアーム１０６の位置（Ｘ線検出器１０５の位置）や角度は常時監視され、制御部２０１に通知される。
【００１９】
Ｘ線管装置１０３は、高電圧発生装置２０２から電力供給を受けてＸ線を発生させるＸ線管球を有する。Ｘ線管装置１０３には特定のエネルギーのＸ線を選択的に透過させるＸ線フィルタ等が設けられるようにしてもよい。Ｘ線管装置１０３及び高電圧発生装置２０２の動作は制御部２０１により制御される。なお、Ｘ線管装置１０３と高電圧発生装置２０２とは一体的に構成されたものが多いが、別体であってもよい。また、Ｘ線管装置１０３とＸ線絞り１０４とが一体的に設けられていてもよい。
【００２０】
Ｘ線絞り１０４は、Ｘ線管装置１０３から発生したＸ線を遮蔽するＸ線遮蔽板を複数有する。Ｘ線遮蔽板の材料は例えば鉛等である。Ｘ線絞り１０４は制御部２０１からの制御信号に従って複数のＸ線遮蔽板を移動させることで被検体１０１に照射するＸ線照射領域を形成する。
【００２１】
また本発明において、Ｘ線管装置１０３は制御部２０１の制御によって管球部の位置をＸ線検出器１０５の方向へ移動することが可能となっている。すなわち、Ｘ線管装置１０３の管球部とＸ線検出器１０５の受像面との間の距離（Ｘ線管−検出器間距離；以下、ＳＩＤ（Source Image Distance）という）は可変である。
【００２２】
図２は、Ｘ線管装置１０３の構成を示す図である。
図２に示すように、Ｘ線管装置１０３の管球部には温度検出器１０３ａが設けられる。温度検出器１０３ａは、サーミスタのように常に温度を監視するものとしてもよいし、サーモスタッドのように一定の温度になると接点が動作するものとしてもよい。温度検出器１０３ａは管球部の温度を検出し、制御部２０１に通知する。またＸ線管装置１０３は管球移動機構１０３ｂ及び位置検出器１０３ｃを有する。管球移動機構１０３ｂは、例えばアーム１０６の先端部に送りネジ及び回転駆動装置等を取り付けることにより構成され、管球部の位置をＸ線検出器の方向へ移動可能に構成される。管球移動機構１０３ｂは制御部２０１からの移動制御信号に基づいて管球部を移動させる。位置検出器１０３ｃは管球移動機構１０３ｂにより移動された管球部の位置（移動量）を検出する装置であり、例えばロータリーエンコーダ等により構成される。位置検出器１０３ｃは管球部の位置情報（移動量）を制御部２０１へ通知する。
【００２３】
Ｘ線検出器１０５は、Ｘ線管装置１０３から照射され被検体１０１を透過したＸ線を検出する装置であり、例えば、ＦＰＤ（Flat Panel Detector）やＩ．Ｉ．（Image Intensifier）等により構成される。Ｘ線検出器１０５は、Ｘ線管装置１０３から照射され被検体１０１を透過したＸ線（透過Ｘ線）の入射量に応じたＸ線信号を検出し、画像処理部２０３へ送出する。
【００２４】
画像処理部２０３は、Ｘ線検出器１０５から出力されたＸ線信号を画像処理し、Ｘ線画像を生成して出力する。画像処理は、ガンマ変換、階調変換処理、画像の拡大・縮小処理等である。画像処理部２０３により生成された画像は記憶部２０４及び表示部２０５に出力される。
【００２５】
制御装置２００の制御部２０１は、ＣＰＵ（Central Processing Unit）、ＲＯＭ（Read Only
Memory）、ＲＡＭ（Random Access Memory）等により構成される。制御部２０１は、操作部２０６から入力された入力信号に基づいてＸ線照射の動作制御を行う。また、被検体１０１を透過したＸ線（以下「透過Ｘ線」と略記する）の検出及びデータ収集動作の制御を行ったり、アーム１０６及び天板１０２の移動動作の制御を行う。また、制御部２０１は、管球部に設置した温度検出器１０３ａにより検出した温度を取得し、取得した温度に応じて管球部を移動してＳＩＤを調整するとともに、管球部の移動の前後でＸ線検出器１０５に入射する線量が一定となるようにＸ線条件を調整する処理を行う。この処理（ＳＩＤ調整処理）の詳細については後述する。
【００２６】
記憶部２０４は、画像処理部２０３により生成された画像（透視像または撮影像）を記憶する。また、透視や撮影に関するプログラムや後述するＳＩＤ調整処理に必要なプログラム及びデータ等を記憶する。
【００２７】
表示部２０５は、ＣＲＴや液晶パネルなどにより構成され、被検体１０１のＸ線画像を表示する。
操作部２０６は、キーボード、マウス、ジョイスティック等の入力装置を備え、操作者からの指令を制御部２０１に入力する。なお、操作部２０６は表示部２０５と一体的に形成されたタッチパネル式の操作部としてもよい。
【００２８】
次に、Ｘ線画像診断装置１のＳＩＤ調整について、図３〜図５を参照して説明する。
図３は、Ｘ線管装置１０３及びＸ線検出器１０５と天板１０２との位置関係を簡略に示す側面図である。図３に示すように、天板１０２の下面（裏面）側にＸ線管装置１０３（及びＸ線絞り１０４）を配置し、天板１０２の上面（被検体載置面）側にＸ線検出器１０５が配置される状態をアンダーチューブという。
【００２９】
Ｘ線管装置１０３は、管球移動機構１０３ｂによって管球部をＸ線検出器１０５の方向へ移動可能である。これによりＳＩＤが調整できる。例えば、図３の破線で示す位置に管球部を移動してＸ線検出器１０５に近づけることによりＳＩＤを小さくできる。ＳＩＤを小さくすると、ＳＩＤが大きい場合（図３の実線で示す位置）と比較して小さいＸ線条件で受像面で同等の線量となるため同等の輝度の画像を得ることができる。したがって、より小さい管電流・管電圧で受像面における線量を同程度とすることができるので、管球部における温度上昇を抑えることができる。これにより撮影できる時間（透視撮影においては透視撮影可能な時間、一般撮影においては撮影回数）が延長（増加）され、温度上昇による動作停止を未然に防止できる。
【００３０】
なお、本発明はアンダーチューブの配置に限らず、天板１０２の下面（裏面）側にＸ線検出器１０５を配置し、天板１０２の上面（被検体載置面）側にＸ線管装置１０３及びＸ線絞り１０４が配置されるオーバーチューブの配置でも適用可能である。
【００３１】
図４は、ＳＩＤ調整に関する機能構成及び信号の入出力を示すブロック図である。図４に示すように、制御部２０１は、閾値判定部２１、調整部２２、表示制御部２３を備える。
【００３２】
閾値判定部２１は、温度検出器１０３ａから通知された管球部の温度情報を取得し、取得した温度情報を所定の閾値と比較する。閾値は、予め設定された値としてもよいし、操作者が入力した値としてもよい。また閾値は、装置の動作が強制停止される温度よりも低い温度に設定されることが望ましい。例えば、強制停止温度が６０°Ｃであれば、閾値を４０°Ｃ前後の値に設定すればよい。
【００３３】
またＳＩＤ調整回数に応じた複数の閾値を設定することが望ましい。すなわち、閾値を調整回数ｎ（ｎ＝０、１、２、…）に依存する値（Ｔ＋α×ｎ）とすることが望ましい（Ｔは初回の閾値、αは係数）。これにより、ＳＩＤ調整後の透視継続により更に管球部の温度が上昇した場合でも、前回よりも高い閾値と比較して２度目以降のＳＩＤ調整を行うことが可能となる。
【００３４】
調整部２２は、閾値判定部２１により管球部１０３の温度が上述の閾値より大きいと判定した場合に、管球部の位置及びＸ線条件を調整する。
【００３５】
Ｘ線条件（Ｘ線管電流及びＸ線管電圧のうちいずれか一方または両方）の調整は、自動輝度調整と呼ばれる機能を用いてもよいし、演算により適切なＸ線条件を算出してもよい。自動輝度調整機能とは、Ｘ線検出器１０５において検出したＸ線信号をフィードバックすることで受像面における線量が常に一定を保つようにＸ線管電流或いはＸ線管電圧を制御する機能である。一方、演算により適切なＸ線条件を算出する場合は、調整部２２はＳＩＤと線量と輝度との関係を用いてＳＩＤ調整後の適切なＸ線条件を算出し、調整する。
【００３６】
また、調整部２２は予め取得した調整前のＳＩＤ、温度、及びＸ線条件を取得し、調整後のＳＩＤの複数の候補についてそれぞれ透視延長時間を算出する。
【００３７】
透視延長時間は、具体的には、例えば以下のように算出できる。
現在のＳＩＤをＡ［ｍ］、候補１のＳＩＤをＢ［ｍ］とするとき、受像面での線量を同等とするには、（Ｂ／Ａ）２の線量となるようにＸ線を発生させればよい。また管電圧Ｃ［ｋＶ］、管電流Ｄ［ｍＡ］、フィラメントの熱量をＦ［Ｊ］とすると、Ｘ線管球部で発生する熱量はＣ×Ｄ＋Ｆとすることができる。これらを用い、透視延長時間を求めることが可能となる。
なお、上述の計算方法は透視をし続けることが条件となる。また、計算精度を高めるためには、単位時間当たりの撮影枚数やそのときの管球ローターアップ時の熱量等、その他の要素を考慮することで、透視延長時間の精度を高めることができる。
【００３８】
表示制御部２３は、ＳＩＤの候補を表示部２０５に表示するとともに、各ＳＩＤでの透視延長時間を選択可能に表示する。また表示制御部２３は、ＳＩＤの各候補について、調整後の照射野の範囲（以下、撮影範囲という）を表示部２０５に表示する（図６参照）。
【００３９】
表示部２０５に表示されているＳＩＤの候補からいずれか一つが操作者により選択されると、調整部２２は選択されたＳＩＤとなるように管球移動機構１０３ｂに対して移動制御信号を送る。また、調整部２１はＸ線制御装置１０３に管球の移動量に応じたＸ線量となるように、Ｘ線制御信号を送る。
【００４０】
次に、図５のフローチャートを参照して、ＳＩＤ調整処理の手順を説明する。
検査や手術が開始されるとＸ線画像診断装置１の制御部２０１は、図５のフローチャートに示す手順でＳＩＤ調整処理を実行する。
【００４１】
制御部２０１はＸ線管装置１０３の管球部の温度を温度検出器１０３ａから取得し、所定の閾値（Ｔ＋α×ｎ）と比較する（ステップＳ１０１）。管球部の温度が閾値より小さい場合は（ステップＳ１０１；Ｙｅｓ）、そのまま検査・手術を継続する（ステップＳ１０２）。
【００４２】
管球部の温度が閾値以上になると（ステップＳ１０１；Ｎｏ）、制御部２０１は、まず現在のＸ線条件（管電流値、管電圧値）を取得する（ステップＳ１０３）。Ｘ線条件は記憶部２０４に保持されている。制御部２０１は複数のＳＩＤの候補における透視延長時間を算出する（ステップＳ１０４）。透視延長時間は、ＳＩＤの値、及びＸ線条件（管電流値、管電圧値）から算出できる。
【００４３】
制御部２０１はステップＳ１０４により算出した各候補の透視延長時間を表示部２０５に表示し（ステップＳ１０５）、操作者による候補の選択を受け付ける（ステップＳ１０６）。
【００４４】
図６は表示部２０５に表示される操作画面４の一例を示す図である。
操作画面４には、現在撮影中の画像４１と、複数のＳＩＤの候補を選択するための選択欄４３が設けられる。
現在透視中の画像４１には、撮影範囲を示す枠４１ａ、４１ｂ、４１ｃ、４１ｄが重ねて表示される。枠４１ａは、選択欄４３に表示されている候補ＡのＳＩＤに変更した場合の撮影範囲を示し、枠４１ｂは候補ＢのＳＩＤに変更した場合の撮影範囲を示し、枠４１ｃは候補ＣのＳＩＤに変更した場合の撮影範囲を示し、枠４１ｄは候補Ｄの場合（ＳＩＤ調整なし）の撮影範囲を示している。
【００４５】
選択欄４３には、複数のＳＩＤの候補について、ＳＩＤの値と透視延長時間とが表示される候補表示欄４４と、選択ボタン４５ａ〜４５ｄが設けられる。
図６の例では、４つの候補Ａ〜Ｄが提示される。候補Ａは「ＳＩＤ９００、延長時間１０分」、候補Ｂは「ＳＩＤ７５０、延長時間１４．４分」、候補Ｃは「ＳＩＤ６００、延長時間２２．５分」、候補Ｄは「そのまま使用する」である。
【００４６】
なお、ＳＩＤ調整可能な限界値は、被検者の体厚等によって異なる。そのため、制御部２０１は、実際に調整可能なＳＩＤ候補のみ操作画面４に表示することが望ましい。このため、例えばＸ線管装置１０３に被検体１０１または寝台１０２との距離を計測する距離センサ等の距離計測器を設ける。制御部２０１は距離計測器によって計測した距離を取得し、被検体１０１（または寝台１０２）とＸ線管装置１０３とが接触せずに撮影できる範囲にあるＳＩＤ候補を判定する。制御部２０１は判定の結果、被検体１０１とＸ線管装置１０３とが接触せずに撮影できるＳＩＤ候補のみを操作画面４の候補表示欄４４に表示し、またそれらのＳＩＤ候補についてＳＩＤの値と透視延長時間を表示する。
これにより、被検体１０１または寝台１０２とＸ線管装置１０３との接触を防ぎ、安全に撮影を行うことが可能となる。
【００４７】
操作者によるマウス操作やタッチパネル操作等によって候補ボタン４５ａが押下されると、対応する候補Ａが選択される。同様に、候補Ｂ〜Ｄについても同様に、候補ボタン４５ｂ〜４５ｄが押下されるとそれぞれ対応する候補Ｂ、Ｃ、Ｄが選択される。
【００４８】
図５の説明に戻る。いずれかの候補が選択されると（ステップＳ１０６；Ｙｅｓ）、制御部２０１は選択されたＳＩＤとなるように移動制御信号を管球移動機構へ送り、管球部を移動させる（ステップＳ１０７）。また、制御部２０１は移動後のＳＩＤでの適切なＸ線条件を算出するとともに、算出した新たなＸ線条件を用いて正確な透視延長時間を再度算出する（ステップＳ１０８）。ステップＳ１０８では、制御部２０１は調整後に画像の輝度が一定となるようなＸ線条件を算出する。制御部２０１は、ステップＳ１０８で算出したＸ線条件に基づいてＸ線制御信号を生成し、Ｘ線管装置に送る。Ｘ線管装置は入力されたＸ線制御信号に基づくＸ線を照射する（ステップＳ１０９）。
【００４９】
その後、制御部２０１は、ステップＳ１０８で算出した透視延長時間を表示部２０５に表示する。また、撮影（透視）された画像の表示を更新したり、撮影範囲を示す枠の表示を更新する（ステップＳ１１０）。
【００５０】
なお、ステップＳ１０６の候補選択処理において、いずれの候補も選択されないまま所定の待機時間が経過した場合は（ステップＳ１０６；Ｎｏ）、現在のＳＩＤ及びＸ線条件を維持したまま、ステップＳ１１１へ移行する。
【００５１】
その後、検査・手術が継続される（ステップＳ１１１）。
検査・手術の終了指示が操作部２０６から入力されない場合（ステップＳ１１２；Ｎｏ）、回数ｎに「１」を加算し（ｎ＝ｎ＋１；ステップＳ１１３）、ステップＳ１０１へ戻り、ステップＳ１０１〜ステップＳ１１１を繰り返す。
【００５２】
ステップＳ１０１における温度の比較は、２度目の繰り返し以降は、前回の閾値よりも高い閾値となる。これにより、前回のＳＩＤ調整後、透視継続により管球部の温度が上昇した場合にも、更にＳＩＤを調整して透視時間を延長することが可能となる。
【００５３】
ステップＳ１１２において、検査・手術の終了指示が入力された場合は（ステップＳ１１２；Ｙｅｓ）、一連のＳＩＤ調整処理を終了する。
【００５４】
以上説明したように、第１の実施の形態のＸ線画像診断装置１の制御部２０１は、Ｘ線管装置１０３の管球部の温度を取得し、取得した温度に応じて管球部を移動して管球部とＸ線検出器１０５との間の距離（ＳＩＤ）を調整するとともに、移動の前後で輝度が一定となるようにＸ線条件を調整する。そのため、より小さなＸ線条件（管電流値、管電圧値）で透視を行うことが可能となり、透視を継続しながら温度上昇を抑制して透視時間を延長できる。
【００５５】
また、制御部２０１は、現在のＳＩＤ、管球部の温度、及びＸ線条件を取得し、これらの情報に基づいて複数のＳＩＤ候補についてそれぞれ透視延長時間を算出し、各候補とともに選択可能に表示する。これにより、操作者は各ＳＩＤ候補の透視延長時間を調整前に知った上で選択することができる。このとき、各ＳＩＤ候補について撮影範囲を表示すれば、ＳＩＤ調整後の撮影範囲を調整前に知ることも可能となる。
【００５６】
［第２の実施の形態］
図７〜図８を参照して、第２の実施の形態のＸ線画像診断装置１について説明する。なお、以下の説明では、第１の実施の形態と同一の各部は同一の符号を付し、重複する説明を省略する。
【００５７】
第１の実施の形態のＸ線画像診断装置１において、ＳＩＤが小さくなるよう管球部を移動させた場合、ＳＩＤ調整後の照射野の範囲（撮影範囲）はＳＩＤ調整前の撮影範囲より小さくなる（図６参照）。しかしながら、Ｘ線絞り１０４の開度を調整することで撮影範囲をＳＩＤ調整前後で維持することも可能である。
そこで第２の実施の形態では、ＳＩＤ調整処理において、管球部の移動及びＸ線条件の調整とともに、Ｘ線絞りの調整を行う処理について説明する。
【００５８】
図７のフローチャートを参照して、第２の実施の形態のＳＩＤ調整処理の手順を説明する。
第１の実施の形態と同様に、制御部２０１は管球部の温度を温度検出器１０３ａから取得し、所定の閾値（Ｔ＋α×ｎ）と比較する（ステップＳ２０１）。管球部の温度が閾値より小さい場合は（ステップＳ２０１；Ｙｅｓ）、そのままＸ線画像診断装置１を使用して検査・手術を継続する（ステップＳ２０２）。
【００５９】
管球部の温度が閾値以上になると（ステップＳ２０１；Ｎｏ）、制御部２０１は、現在のＸ線条件を取得するとともに、Ｘ線絞りの開度を取得する（ステップＳ２０３）。Ｘ線絞りは制御部２０１により制御されるため、その開度は制御部２０１のＲＡＭ等に保持されている。
【００６０】
制御部２０１は第１の実施の形態と同様に複数のＳＩＤの候補における透視延長時間を算出し（ステップＳ２０４）、算出した各候補の透視延長時間を表示部２０５に表示し（ステップＳ２０５）、操作者による候補の選択を受け付ける（ステップＳ２０６）。
【００６１】
図８は表示部２０５に表示される第２の実施の形態の操作画面４Ａの一例を示す図である。
操作画面４Ａには、第１の実施の形態の操作画面４（図６参照）と同様に、現在撮影（透視）中の画像４１Ａと、複数のＳＩＤの候補を選択するための選択欄４３が設けられる。
現在撮影（透視）中の画像４１ＡにおけるＸ線絞り１０４による絞り範囲５が明示される。
【００６２】
図８の撮影範囲を示す枠４１ｄは、現在のＳＩＤにおいてＸ線絞り１０４を全開にした場合の撮影範囲を示す。枠４１ａは、Ｘ線絞り１０４により制限された撮影範囲を示すものであり、現在（ＳＩＤ調整前）の状態（候補Ｄ）、及び候補Ａ，ＢのＳＩＤに変更し、かつＸ線絞り１０４の開度を調整した場合の撮影範囲を示している。ＳＩＤを調整した際にＸ線絞り１０４を全開にしてもＳＩＤ調整前の撮影範囲にならない場合（候補ＣのようにＳＩＤが小さい場合）は、枠４１ｃのようにその候補のＳＩＤにおいてＸ線絞り１０４を全開にした状態の撮影範囲を示している。
【００６３】
選択欄４３には、第１の実施の形態（図６）と同様に、複数のＳＩＤの候補について、ＳＩＤの値と透視延長時間とが表示される候補表示欄４４と、選択ボタン４５ａ〜４５ｄが設けられる。
【００６４】
図７の説明に戻る。操作者によるマウス操作やタッチパネル操作等によっていずれかの候補ボタン４５ａが押下され、候補が選択されると（ステップＳ２０６；Ｙｅｓ）、制御部２０１は選択されたＳＩＤとなるように移動制御信号を管球移動機構へ送り、管球部を移動させる（ステップＳ２０７）。また、制御部２０１は絞り制御信号をＸ線絞り１０４へ送り、Ｘ線絞り１０４の開度を調整させる（ステップＳ２０８）。つまり、管球部を移動してＳＩＤを小さくした場合は、撮影範囲を維持するようＸ線絞り１０４の開度を大きくする。
【００６５】
制御部２０１は移動後のＳＩＤでの適切なＸ線条件を算出するとともに、算出した新たなＸ線条件を用いて正確な透視延長時間とを再度算出する（ステップＳ２０９）。ステップＳ２０９では、制御部２０１は調整後に画像の輝度が一定となるようなＸ線条件を算出する。制御部２０１は、ステップＳ１０８で算出したＸ線条件に基づいてＸ線制御信号を生成し、Ｘ線管装置に送る。Ｘ線管装置は入力されたＸ線制御信号に基づくＸ線を照射する（ステップＳ２１０）。
【００６６】
その後、制御部２０１は、ステップＳ２０９で算出した透視延長時間を表示部２０５に表示する。また、撮影された画像の表示を更新したり、撮影範囲を示す枠の表示を更新する（ステップＳ２１１）。
【００６７】
なお、ステップＳ２０６の候補選択処理において、いずれの候補も選択されないまま所定の待機時間が経過した場合は（ステップＳ２０６；Ｎｏ）、現在のＳＩＤ及びＸ線条件を維持したまま、ステップＳ２１２へ移行する。
【００６８】
その後、検査・手術が継続される（ステップＳ２１２）。
検査・手術の終了指示が操作部２０６から入力されない場合（ステップＳ２１４；Ｎｏ）、回数ｎに「１」を加算し（ｎ＝ｎ＋１；ステップＳ２１３）、ステップＳ２０１へ戻り、ステップＳ２０１〜ステップＳ２１２を繰り返す。
【００６９】
第２の実施の形態でも第１の実施の形態と同様に、ステップＳ２０１の温度閾値との比較において、２度目の繰り返し以降の閾値は、前回の比較に用いた閾値よりも高い温度となる。
【００７０】
ステップＳ２１４において、検査・手術の終了指示が入力された場合は（ステップＳ２１４；Ｙｅｓ）、一連のＳＩＤ調整処理を終了する。
【００７１】
以上説明したように、第２の実施の形態のＸ線画像診断装置１は、第１の実施の形態の処理に加え、管球部の温度が閾値以上となった場合にＳＩＤの調整を行うとともにＸ線絞り１０４の開度を調整する。このため、撮影範囲を極力維持できる。
【００７２】
以上、各実施の形態において、本発明の好適なＸ線画像診断装置について説明したが、本発明は上述の実施形態に限定されるものではない。当業者であれば、本願で開示した技術的思想の範疇内において、各種の変更例または修正例に想到し得ることは明らかであり、それらについても当然に本発明の技術的範囲に属するものと了解される。
【符号の説明】
【００７３】
１・・・・・Ｘ線画像診断装置
１０１・・・被検体
１０２・・・天板
１０３・・・Ｘ線管装置
１０３ａ・・温度検出器
１０３ｂ・・管球移動機構
１０３ｃ・・位置検出器
１０４・・・Ｘ線絞り
１０５・・・Ｘ線検出器
１０６・・・アーム
１１０・・・天板移動機構
２０１・・・制御部
２０２・・・高電圧発生部
２０３・・・画像処理部
２０４・・・記憶部
２０５・・・表示部
２０６・・・操作部
２１・・・・閾値判定部
２２・・・・調整部
２３・・・・表示制御部
４、４Ａ・・操作画面
【図１】
2016129593.tif 000003
【図２】
2016129593.tif 000004
【図３】
2016129593.tif 000005
【図４】
2016129593.tif 000006
【図５】
2016129593.tif 000007
【図６】
2016129593.tif 000008
【図７】
2016129593.tif 000009
【図８】
2016129593.tif 000010